(57)【特許請求の範囲】
【請求項１】
隣接する合成樹脂部材の端部同士を融着継手によって接続し、この融着継手に内装された電熱線に通電して両合成樹脂部材の端部同士を融着する電気融着継手の通電異常検知装置であって、
融着中の前記電熱線からの出力電圧値及び出力電流値を一定の時間間隔で随時測定する測定手段と、
測定された出力電圧値及び出力電流値を、今回測定分を含め少なくとも前々回の測定分まで保存する保存手段と、
前記測定手段による測定タイミングで、前記保存手段に保存されている今回測定分の保存値と、前々回測定分の保存値とを比較してその変化率を算出し、その変化率が予め設定された基準値を超えている場合には異常と判定する判定手段とを備えたことを特徴とする電気融着継手の通電異常検知装置。
【請求項２】
前記判定手段は、前記測定手段による測定タイミングで、前記保存手段に保存されている今回測定分の電圧値及び電流値から算出した抵抗値と、前々回測定分の電圧値及び電流値から算出した抵抗値とを比較してその変化率を算出し、その変化率が予め設定された基準値を超えている場合には異常と判定する請求項１に記載の電気融着継手の通電異常検知装置。
【請求項３】
前記判定手段によって初めて異常と判定されたときに異常検知を開始するとともに、そのときに前記判定手段により算出された変化率の値を記憶手段に記憶し、次の判定タイミングで前記判定手段により算出された変化率の値と前記記憶手段に記憶された前回の変化率の値とを比較し、大きい方の値を異常判断値として前記記憶手段に記憶させる異常検知処理手段を備えてなる請求項１又は２に記載の電気融着継手の通電異常検知装置。
【発明の詳細な説明】
【０００１】
【発明の属する技術分野】
本発明は、隣接する合成樹脂部材の端部同士を融着継手によって接続し、この融着継手に内装された電熱線に通電して両合成樹脂部材の端部同士を融着する融着継手に係り、より詳細には、電気融着継手に内装されている電熱線の短絡等による通電異常を検知する通電異常検知装置に関する。
【０００２】
【従来の技術】
プラスチック管材の接合に用いられる電気融着継手（例えば、ＥＦ継手）には、熱による接合を行うために、電気融着継手の内部に加熱用の電熱線（ワイヤ）が組み込まれている。プラスチック管材の端部同士を融着させるときには、このワイヤに電流を流し、ワイヤ周辺の管材料を溶かして融着を行う。
【０００３】
このとき、融着時に溶ける管材料の流れによっては、ワイヤも流され、巻かれている隣のワイヤと接触し、短絡を生じることがある。この場合、融着に必要な電流量が流せなくなり、正しい融着ができなくなるといった問題が発生する。
【０００４】
そこで、融着中の電流値を監視し、ワイヤの短絡による電流の異常増加を検知することで、ワイヤの短絡による異常状態を発見するといった方法が提案されている（例えば、特公平６−５５４４１号公報参照）。
【０００５】
この方法は、一定時間ごとに電流値を測定し、直前に測定した電流値と比較することによって電流の増加を検知し、その比較結果がある基準値を超えたときに異常とみなす方法である。
【０００６】
異常と判定する基準値は、電気融着継手に巻かれたワイヤの巻き数に依存する。例えば、３０回巻かれたワイヤのうち、１箇所の部分で隣接するワイヤが短絡した場合、電流値は３％増加するので、基準値は３％となる。
【０００７】
ここで、比較に用いる電流値をあるタイミングの瞬時値で行おうとすると、ノイズなどの影響により正しい異常検知が行えない可能性があるので、不要なノイズを除去するか、瞬時的な変動をキャンセルするようにして、電流値を測定する必要がある。この電流測定方法には、フィルタ処理を施した後、Ａ／Ｄ変換した値を測定値とする方法や、Ａ／Ｄ変換した値を複数個用い、ソフトウエア処理によって平均した値を測定値とする方法などがある。これらは全て、ある期間の瞬時電流値を平均化した値を用いていることになる。そして、この平均化された値を常に測定し、基準値と比較して、その変化から通電異常を検知している。
【０００８】
【発明が解決しようとする課題】
上記したように、通電異常を検知する従来の方法は、融着中の電流値を正しく測定するために、ある期間で平均化された電流値を用い、前回測定値と今回測定値とを比較した結果が基準値を超えているかどうかで、異常の判断を行っている。
【０００９】
しかしながら、従来の通電異常検知方法では、測定期間のとり方によって、異常の変化が正確に捉えられない場合がある。例えば、電流値が１００から１０５に５％変化した場合、その変化ポイントが例えば測定期間の真ん中にあった場合には、その期間内の電流値を平均すると５％であるはずの変化量が、前後の測定期間に二分される形となって、２．５％と計算されてしまうことになる。つまり、前の測定期間でも２．５％、その後の測定期間でも２．５％と計算されてしまうため、基準値の３％を超えることがないので、本来短絡しているにも関わらず、短絡していないと判断してしまうことになる。また、後の測定期間で５％と測定されたとしても、前の測定期間との比較（１０２．５との比較）によって２．５％の変化率としかみなされず、この場合も短絡していないと判断してしまうことになる。
【００１０】
本発明は係る問題点を解決すべく創案されたもので、その目的は、融着中の電流値の変化を正しく測定することにより、通電異常の状態を正確に検知することのできる電気融着継手の通電異常検知装置を提供することにある。
【００１１】
【課題を解決するための手段】
上記課題を解決するため、本発明の請求項１に記載の電気融着継手の通電異常検知装置は、隣接する合成樹脂部材の端部同士を融着継手によって接続し、この融着継手に内装された電熱線に通電して両合成樹脂部材の端部同士を融着する電気融着継手の通電異常検知装置であって、融着中の電熱線からの出力電圧値及び出力電流値を一定の時間間隔で随時測定する測定手段と、測定された出力電圧値及び出力電流値を、今回測定分を含め少なくとも前々回の測定分まで保存する保存手段と、測定手段による測定タイミングで、保存手段に保存されている今回測定分の保存値と、前々回測定分の保存値とを比較してその変化率を算出し、その変化率が予め設定された基準値を超えている場合には異常と判定する判定手段とを備えた構成としている。
【００１２】
また、本発明の請求項２に記載の電気融着継手の通電異常検知装置は、請求項１に記載のものにおいて、判定手段は、測定手段による測定タイミングで、保存手段に保存されている今回測定分の電圧値及び電流値から算出した抵抗値と、前々回測定分の電圧値及び電流値から算出した抵抗値とを比較してその変化率を算出し、その変化率が予め設定された基準値を超えている場合には異常と判定するものである。
【００１３】
また、本発明の請求項３に記載の電気融着継手の通電異常検知装置は、請求項１又は２に記載のものにおいて、判定手段によって初めて異常と判定されたときに異常検知を開始するとともに、そのときに判定手段により算出された変化率の値を記憶手段に記憶し、次の判定タイミングで判定手段により算出された変化率の値と記憶手段に記憶された前回の変化率の値とを比較し、大きい方の値を異常判断値として記憶手段に記憶させる異常検知処理手段を備えた構成としている。
【００１４】
【発明の実施の形態】
以下、本発明の実施の形態について、図面を参照して説明する。
【００１５】
図１は、本発明に係わる電気融着継手の通電異常検知装置のシステム構成図である。ただし、本実施の形態では、通電異常検知装置を電気融着装置とは別体として図示しているが、通電異常検知装置が電気融着装置の内部に組み込まれていてもよいことは当然である。
【００１６】
電気融着装置１１の内部には、融着継手８に対して電源を供給する電源供給部が設けられており、この電源供給部から導出された出力ケーブル１２の先端部に設けられたコネクタ７ａ，７ｂが、融着継手８の端子８ａ，８ｂにそれぞれ接続されるようになっている。
【００１７】
融着継手８は、プラスチック管のようなパイプ部材（水道管やガス管等）１５，１５の端部同士を接続するために、円筒形状に形成されており、その内周部に、電熱線（ワイヤ）９が螺旋状に巻回された状態で埋設されている。そして、このワイヤ９の両端部が融着継手８の端子８ａ，８ｂにそれぞれ接続された構造となっている。
【００１８】
本実施の形態の通電異常検知装置は、任意の時間を計測するタイマー部１と、融着継手８に埋設されたワイヤ９からの出力電圧値及び出力電流値を一定の時間間隔で随時測定する電流／電圧測定部２と、測定された出力電圧値及び出力電流値を、今回測定分を含め少なくとも前々回の測定分まで記憶する記憶部（保存手段）３と、電圧／電流測定部２による測定タイミングで、記憶部３に記憶されている今回測定分の保存値と前々回測定分の保存値とを比較してその変化率を算出し、その変化率が予め設定された基準値を超えている場合には異常と判定する判定部４とを備えており、これらタイマー部１、電流／電圧測定部２、記憶部３、判定部４は、通電異常検知装置全体の動作制御を行うマイコン５とそれぞれ双方向に接続されている。また、マイコン５と電気融着装置１１の図示しないコントローラも双方向の接続となっており、電源融着装置１１からのオン／オフ信号等に基づいて、異常検知の開始、終了といった動作制御を管理するようになっている。
【００１９】
判定部４は、電流／電圧測定部２による測定タイミングで、記憶部３に記憶されている今回測定分の電圧値及び電流値から算出した抵抗値と、前々回測定分の電圧値及び電流値から算出した抵抗値とを比較してその変化率を算出し、その変化率の値が予め設定された基準値を超えている場合には異常と判定する。
【００２０】
マイコン１５は、判定部４によって初めて異常と判定されたときに異常検知を開始するとともに、そのときに判定部４により算出された変化率の値を記憶部３に記憶し、次の判定タイミングで判定部４により算出された変化率の値と記憶部３に記憶された前回の変化率の値とを比較し、大きい方の値を異常判断値として記憶部３に記憶させる制御を行う。すなわち、請求項３に記載の異常検知処理手段は、マイコン５によって実現されている。
【００２１】
次に、上記構成の通電異常検知装置の異常検知動作について、図４に示すフローチャートを参照して説明する。ただし、本実施の形態では、以下の条件で異常検知動作を行うものとする。
【００２２】
すなわち、電流／電圧測定部２による融着中の電流、電圧の測定タイミングを１秒ごととし、１秒間の平均値をそれぞれの測定値とする。平均値をとるのは、ノイズ等の突発的変化の影響を除去するためである。
【００２３】
また、記憶部３には、今回測定分を含め前々回の測定分までの３回分の測定データを記憶するものとする。すなわち、新たな測定データを記憶するときに、最も古い測定データを削除することによって、常に最新の３回分の測定データを記憶するようになっている。
【００２４】
また、判定部４では、記憶部３に記憶されている電圧値及び電流値から算出した抵抗値を用いて判定を行う。そのため、基準値も抵抗値換算となっている。抵抗値を使用するのは、ワイヤ抵抗の熱による変化に伴い、電流及び電圧が微妙に変化することが予想されるので、その変化を打ち消すために抵抗値換算で行うものである。そのため、本実施の形態では、異常を判断する条件として、抵抗変化率が基準値を超えたい否かで行うものとする。基準値の決定方法としては、融着不良となるワイヤ９の短絡本数と、融着継手８のワイヤ９の巻き数とから算出できる。例えば、巻き数が３０で短絡限界数が１本の場合には、１／３０×１００＝３（％）となる。本実施の形態では、この例（３％）を基準値とする。
【００２５】
また、融着開始直後は電流が急激に増加するため、融着開始直後の一定時間は検知動作を行わないようにしている。以上の条件で検知動作を行う。
【００２６】
ところで、融着継手８に埋設されたワイヤ９に流れる電流と融着時間との関係は、正常な融着時には図２に示すようなカーブを描くのが一般的である。しかしながら、融着継手８内部で隣接するワイヤ９同士が接触し、短絡した場合には、図３に示すようなカーブを描くことになる。すなわち、短絡ポイントで電流が増加する。以下の説明では、この図３に示すグラフも参照して説明する。
【００２７】
まず、融着継手８にパイプ部材１５，１５の端部を挿入し、電気融着装置１１の出力ケーブル１２の先端部に設けられたコネクタ７ａ，７ｂを、融着継手８の端子８ａ，８ｂにそれぞれ接続する。この状態で、図示しない電源スイッチをオンし、電源供給部から融着継手８のワイヤ９に電源の供給を開始する。
【００２８】
上記した如く、融着開始直後は電流が急激に増加するため、通電異常検知装置は、融着開始直後の一定時間Ｔ１（図３参照）は検知動作を行わない。そして、一定時間Ｔ１が経過した時刻ｔ１から、電流／電圧測定部２は、ワイヤ９の出力電流値、出力電圧値を１秒間の平均値として１秒ごとに測定し、その測定値を記憶部３に記憶する。記憶部３では、このように１秒ごとのタイミングで測定されたデータを、今回測定分を含め前々回の測定分まで３回分記憶する。
【００２９】
図３に示す例で具体的に説明すると、記憶部３には、時刻ｔ２のタンミングで、時刻ｔ１からｔ２の間（期間Ａ）に測定された電流値及び電圧値の各平均値（Ｉａ，Ｖａ）が記憶され、次の時刻ｔ３のタイミングで、時刻ｔ２からｔ３の間（期間Ｂ）に測定された電流値及び電圧値の各平均値（Ｉｂ，Ｖｂ）が記憶され、次の時刻ｔ４のタイミングで、時刻ｔ３からｔ４の間（期間Ｃ）に測定された電流値及び電圧値の各平均値（Ｉｃ，Ｖｃ）が記憶される。つまり、この時点で、記憶部３には、今回測定値であるＩｃ，Ｖｃと、前回測定値であるＩｂ，Ｖｂと、前々回測定値であるＩａ，Ｖａとが記憶されることになる。
【００３０】
また、次の時刻ｔ５のタイミングで、時刻ｔ４からｔ５の間（期間Ｄ）に測定された電流値及び電圧値の各平均値（Ｉｄ，Ｖｄ）が記憶部３に記憶される。ただし、このときには、最も古い測定値であるＩａ，Ｖａが消去される。その結果、時刻ｔ５の時点で、記憶部には、今回測定値であるＩｄ，Ｖｄと、前回測定値であるＩｃ，Ｖｃと、前々回測定値であるＩｂ，Ｖｂとが記憶されることになる。また、同様にして、次の時刻ｔ６のタイミングで、時刻ｔ５からｔ６の間（期間Ｅ）に測定された電流値及び電圧値の各平均値（Ｉｅ，Ｖｅ）が記憶部３に記憶される。ただし、このときには、最も古い測定値であるＩｂ，Ｖｂが消去される。その結果、時刻ｔ６の時点で、記憶部には、今回測定値であるＩｅ，Ｖｅと、前回測定値であるＩｄ，Ｖｄと、前々回測定値であるＩｃ，Ｖｃとが記憶されることになる。
【００３１】
判定部４は、電流／電圧測定部２での測定タイミングと同じタイミングで、記憶部３に記憶されている今回測定分の電圧値及び電流値から算出した抵抗値と、前々回測定分の電圧値及び電流値から算出した抵抗値とを比較してその変化率を算出し、その変化率の値が予め設定された基準値を超えている場合には異常と判定する（ステップＳ１〜ステップＳ９）。以下、ステップＳ１〜ステップＳ９に従って、具体的に説明する。
【００３２】
例えば、時刻ｔ４において、記憶部３に記憶されている今回測定分の電圧値Ｖｃ及び電流値Ｉｃから算出した抵抗値Ｒｃと、前々回測定分の電圧値Ｖａ及び電流値Ｉａから算出した抵抗値Ｒａとを比較してその変化率ΔＲｃ−ａ＝（Ｒｃ−Ｒａ）／Ｒａ×１００（％）を算出し、その変化率ΔＲｃ−ａが予め設定された基準値（本例では、３％）を超えているか否かを判断する。（ステップＳ１）。
【００３３】
ここで、ΔＲｃ−ａが３％を超えている場合（ステップＳ１でＹｅｓの場合）には、異常検知開始のフラグをたてるとともに（ステップＳ２）、今回算出した変化率ΔＲｃ−ａの値を記憶部３の所定の領域に記憶させる（ステップＳ３）。そして、次の判定タイミング（１秒後の時刻ｔ５）になると、記憶部３に記憶されている今回測定分の電圧値Ｖｄ及び電流値Ｉｄから算出した抵抗値Ｒｄと、前々回測定分の電圧値Ｖｂ及び電流値Ｉｂから算出した抵抗値Ｒｂとを比較して、その変化率ΔＲｄ−ｂ＝（Ｒｄ−Ｒｂ）／Ｒｂ×１００（％）を算出し（ステップＳ４）、記憶部３に記憶されている前回の変化率ΔＲｃ−ａと、今回算出した変化率ΔＲｄ−ｂとを比較する（ステップＳ５）。その結果、前回の変化率ΔＲｃ−ａの方が今回の変化率ΔＲｄ−ｂより大きい値である場合（ステップＳ５でＮｏの場合）には、前回の変化率ΔＲｃ−ａを異常判断値として記憶部３に記憶させる（ステップＳ９）。その後、フラグをおろして（ステップＳ１０）、異常検知動作を終了する。
【００３４】
一方、今回の変化率ΔＲｄ−ｂの方が前回の変化率ΔＲｃ−ａより大きい値である場合（ステップＳ５でＹｅｓの場合）には、今回の変化率ΔＲｄ−ｂを異常判断値として記憶部３に記憶させる（ステップＳ６）、この後、次の判定タイミング（１秒後の時刻ｔ６）になると、記憶部３に記憶されている今回測定分の電圧値Ｖｅ及び電流値Ｉｅから算出した抵抗値Ｒｅと、前々回測定分の電圧値Ｖｃ及び電流値Ｉｃから算出した抵抗値Ｒｃとを比較して、その変化率ΔＲｅ−ｃ＝（Ｒｅ−Ｒｃ）／Ｒｃ×１００（％）を算出し（ステップＳ７）、記憶部３に記憶されている前回の変化率ΔＲｄ−ｂと、今回算出した変化率ΔＲｅ−ｃとを比較する（ステップＳ８）。その結果、前回の変化率ΔＲｄ−ｂの方が今回の変化率ΔＲｅ−ｃより小さい値である場合（ステップＳ８でＹｅｓの場合）には、ステップＳ４に戻って異常検知処理を継続する。一方、前回の変化率ΔＲｄ−ｂの方が今回の変化率ΔＲｅ−ｃより大きい値である場合（ステップＳ８でＮｏの場合）には、フラグをおろして（ステップＳ１０）、異常検知動作を終了する。
【００３５】
ここで、ステップＳ５〜ステップＳ１０での具体的処理について、図５（ａ）〜（ｃ）に示す３種類の具体例を参照してさらに詳しく説明する。（ａ）に示す具体例１は、期間Ｃの中間部分に短絡ポイントがあり、短絡による影響が期間Ｄにまで及んでいる場合、（ｂ）に示す具体例２は、期間Ｃの後半部分に短絡ポイントがあるため、期間Ｃよりもその後の期間Ｄにおいて短絡の影響がより強く現れている場合、（ｃ）に示す具体例３は、期間Ｃの前半部分に短絡ポイントがあるため、短絡の影響がその期間Ｃ内で収束している場合である。
【００３６】
（ａ）に示す具体例１は、期間Ｃの抵抗値（１０４）とその前々回の期間Ａの抵抗値（１００）との変化率が４％［＝（１０４−１００）／１００×１００］であるので、この時点でフラグをたてて異常検知を開始するとともに、その変化率（４％）を記憶部３に一旦記憶する。そして、次の期間Ｄの抵抗値（１０６）とその前々回の期間Ｂの抵抗値（１００）との変化率が６％［＝（１０６−１００）／１００×１００］であるので、この時点で大きい方の変化率（６％）を記憶部３に更新記憶する。そして、次の期間Ｅの抵抗値（１０６）とその前々回の抵抗値（１０４）との変化率が約１．９％［＝（１０６−１０４）／１０４×１００］であるので、前回記憶した変化率（６％）を最終的な異常判断値として保持し、フラグをおろす。
【００３７】
（ｂ）に示す具体例２は、期間Ｃの抵抗値（１０２）とその前々回の期間Ａの抵抗値（１００）との変化率が２％［＝（１０２−１００）／１００×１００］であるので、この時点ではフラグをたてない。つまり、異常検知を開始しない。そして、次の期間Ｄの抵抗値（１０６）とその前々回の期間Ｂの抵抗値（１００）との変化率が６％［＝（１０６−１００）／１００×１００］であるので、この時点でフラグをたてて異常検知を開始するとともに、この変化率（６％）を記憶部３に一旦記憶する。そして、次の期間Ｅの抵抗値（１０６）とその前々回の抵抗値（１０２）との変化率が約３．９％［＝（１０６−１０２）／１０２×１００］であり、前回記憶した変化率（６％）より小さいので、前回記憶した変化率（６％）を最終的な異常判断値として保持し、フラグをおろす。
【００３８】
（ｃ）に示す具体例３は、期間Ｃの抵抗値（１０６）とその前々回の期間Ａの抵抗値（１００）との変化率が６％［＝（１０６−１００）／１００×１００］であるので、この時点でフラグをたてて異常検知を開始するとともに、この変化率（６％）を記憶部３に一旦記憶する。そして、次の期間Ｄの抵抗値（１０６）とその前々回の抵抗値（１００）との変化率が約６％［＝（１０６−１００）／１００×１００］であり、前回記憶した変化率（６％）と同じであるので、前回記憶した変化率（６％）を最終的な異常判断値として保持し、フラグをおろす。
【００３９】
なお、上記実施の形態では、記憶部３に記憶する電流値及び電圧値を前々回までの３回分として説明しているが、これはあくまで必要最小限の場合であり、３回分以上の測定データ、例えば図３に示す５回分の測定データを記憶するように構成することが可能である。また、上記実施の形態では、記憶部３に電流値及び電圧値を記憶し、判定部４においてこれら電流値及び電圧値から抵抗値を算出する構成としているが、記憶部３に算出した抵抗値を記憶するように構成することが可能である。この場合、判定部４での抵抗値の算出が不要となり、判定部４の構成をより簡単なものとすることができる。ただし、電流／電圧測定部２において抵抗値を算出させる必要がある。
【００４０】
【発明の効果】
本発明の請求項１に記載の電気融着継手の通電異常検知装置は、融着中の電熱線からの出力電圧値及び出力電流値を一定の時間間隔で随時測定する測定手段と、測定された出力電圧値及び出力電流値を、今回測定分を含め少なくとも前々回の測定分まで保存する保存手段と、測定手段による測定タイミングで、保存手段に保存されている今回測定分の保存値と、前々回測定分の保存値とを比較してその変化率を算出し、その変化率が予め設定された基準値を超えている場合には異常と判定する判定手段とを備えた構成としている。つまり、変化率を算出するポイント期間を１／２ずつ重複させながら算出し、このようにして算出した変化率と基準値とを次々に比較するので、短絡ポイントが測定期間のはざまにあっても、短絡による変化率を正確に算出でき、通電異常を確実に検知することができる。
【００４１】
また、本発明の請求項２に記載の電気融着継手の通電異常検知装置は、請求項１に記載のものにおいて、判定手段は、測定手段による測定タイミングで、保存手段に保存されている今回測定分の電圧値及び電流値から算出した抵抗値と、前々回測定分の電圧値及び電流値から算出した抵抗値とを比較してその変化率を算出し、その変化率が予め設定された基準値を超えている場合には異常と判定するように構成している。すなわち、電熱線抵抗の熱による変化に伴い、電流及び電圧が微妙に変化しても、抵抗値換算によってこの変化を打ち消すことができるので、短絡による変化率をより正確に算出でき、通電異常を確実に検知することができる。
【００４２】
また、本発明の請求項３に記載の電気融着継手の通電異常検知装置は、請求項１又は２に記載のものにおいて、判定手段によって初めて異常と判定されたときに異常検知を開始するとともに、そのときに判定手段により算出された変化率の値を記憶手段に記憶し、次の判定タイミングで判定手段により算出された変化率の値と記憶手段に記憶された前回の変化率の値とを比較し、大きい方の値を異常判断値として記憶手段に記憶させる構成としている。これにより、単に異常が発生したことを検知できるのみならず、その異常がどのような内容によるものであるのか、つまり、電熱線がどの程度（何本程度）短絡しているのかといったことまで判断することができる。
【図面の簡単な説明】
【図１】本発明に係わる電気融着継手の通電異常検知装置のシステム構成図である。
【図２】融着が正常に行われているときのワイヤに流れる電流と融着時間との関係を示すグラフである。
【図３】融着時に短絡等による異常が発生した場合のワイヤに流れる電流と融着時間との関係を示すグラフである。
【図４】本発明に係わる電気融着継手の通電異常検知装置の異常検知動作を説明するためのフローチャートである。
【図５】（ａ）〜（ｃ）は、異常検知動作の具体例を数値を用いて示した説明図である。
【符号の説明】
１  タイマー部
２  電流／電圧測定部（測定手段）
３  記憶部（保存手段、記憶手段）
４  判定部（判定手段）
５  マイコン（異常検知処理手段）
８  融着継手
９  ワイヤ（電熱線）
１１  電気融着装置
１５  パイプ部材（合成樹脂部材）
【図１】
0003996707.tif 000002
【図２】
0003996707.tif 000003
【図３】
0003996707.tif 000004
【図４】
0003996707.tif 000005
【図５】
0003996707.tif 000006